(57)【要約】【課題】収納リフォームユニットを短工期且つ省作業で施工する。【解決手段】床板パネル、一対の側板パネル２０ａ、背板パネル３０ａ、天板パネル及び収納枠５０は、既存箱状ユニット１００の内部寸法よりも小さく設計され、一対の側板パネル２０ａ及び背板パネル３０ａは、床板パネルに接合され、天板パネルは、一対の側板パネル２０ａに接合され、収納枠５０は、既存箱状ユニット１００の前面枠１５０の枠内で前面枠１５０に接合され、一対の側板パネル２０ａは、収納枠５０及び前面枠１５０の少なくとも一方に接合されている。【選択図】図２
2020143568.tif 000002
【特許請求の範囲】
【請求項１】
矩形状の床板パネルと、
上記床板パネルの両側端部に立った状態に配置される一対の側板パネルと、
上記床板パネルの後端部に立った状態に配置される背板パネルと、
上記一対の側板パネルの間に架け渡して配置される天板パネルと、
前面に立った状態に配置される枠状の収納枠と、
上記収納枠の開口部を開閉する収納扉とを備え、
建築物の既存箱状ユニットの内部に収容される収納リフォームユニットであって、
上記床板パネル、一対の側板パネル、背板パネル、天板パネル及び収納枠は、上記既存箱状ユニットの内部寸法よりも小さく設計され、
上記一対の側板パネル及び背板パネルは、上記床板パネルに接合され、
上記天板パネルは、上記一対の側板パネルに接合され、
上記収納枠は、上記既存箱状ユニットの前面枠の枠内で該前面枠に接合され、
上記一対の側板パネルは、上記収納枠、及び上記前面枠の少なくとも一方に接合されていることを特徴とする収納リフォームユニット。
【請求項２】
請求項１に記載された収納リフォームユニットにおいて、
上記床板パネル、一対の側板パネル、背板パネル及び天板パネルの表面には、表面化粧板が設けられていることを特徴とする収納リフォームユニット。
【請求項３】
請求項２に記載された収納リフォームユニットにおいて、
上記既存箱状ユニットの内部には、後面側の壁及び天井の間に梁が設けられ、
上記梁の前面には、上記天板パネルに接合された梁前面パネルが設けられ、
上記一対の側板パネル及び背板パネルの表面には、上記表面化粧板を介して桟材が設けられ、
上記桟材上には、収納棚が載置され、
上記梁前面パネルは、上記収納棚に到達するように設けられていることを特徴とする収納リフォームユニット。
【請求項４】
請求項１〜３の何れか１つに記載された収納リフォームユニットにおいて、
上記床板パネルは、レベル調整可能に設けられていることを特徴とする収納リフォームユニット。
【請求項５】
請求項１〜４の何れか１つに記載された収納リフォームユニットにおいて、
上記前面枠の前面及び収納枠の前面には、該前面枠の前面を覆うように表面材が設けられていることを特徴とする収納リフォームユニット。
【請求項６】
請求項１〜５の何れか１つに記載された収納リフォームユニットにおいて、
上記一対の側板パネルは、上記収納枠に接合され、該収納枠の後面側に配置されていることを特徴とする収納リフォームユニット。
【請求項７】
矩形状の床板パネルと、
上記床板パネルの両側端部に立った状態に配置される一対の側板パネルと、
上記床板パネルの後端部に立った状態に配置される背板パネルと、
上記一対の側板パネルの間に架け渡して配置される天板パネルと、
前面に立った状態に配置される枠状の収納枠と、
上記収納枠の開口部を開閉する収納扉とを備え、
建築物の既存箱状ユニットの内部に収容される収納リフォームユニットを施工する方法であって、
上記既存箱状ユニットの内部の造作物を解体する解体工程と、
上記既存箱状ユニットの内部寸法を上記解体工程後の実測定、又は該既存箱状ユニットの設計図面に基づいて設定する寸法設定工程と、
上記床板パネル、一対の側板パネル、背板パネル、天板パネル及び収納枠を上記既存箱状ユニットの内部寸法よりも小さくなるように準備する構成部材準備工程と、
上記既存箱状ユニットの前面枠の枠内に上記収納枠を設置し、該前面枠に該収納枠を接合する枠接合工程と、
上記既存箱状ユニットの内部に上記床板パネルを仮置きする仮置工程と、
上記仮置工程の後に、上記床板パネルに上記一対の側板パネル及び背板パネルを接合する第１パネル接合工程と、
上記第１パネル接合工程の後に、上記床板パネルのレベル調整を行うレベル調整工程と、
上記レベル調整工程の後に、上記一対の側板パネルを上記収納枠、及び上記前面枠の少なくとも一方に接合するパネル枠接合工程と、
上記パネル枠接合工程の後に、上記一対の側板パネルに上記天板パネルを接合する第２パネル接合工程と、
上記第２パネル接合工程の後に、上記収納枠に上記収納扉を取り付ける扉取付工程とを備えることを特徴とする収納リフォームユニットの施工方法。
【請求項８】
請求項７に記載された収納リフォームユニットの施工方法において、
上記第２パネル接合工程及び扉取付工程の間に、上記床板パネル、一対の側板パネル、背板パネル及び天板パネルの表面に表面化粧板を取り付ける化粧板取付工程を備えることを特徴とする収納リフォームユニットの施工方法。
【請求項９】
請求項８に記載された収納リフォームユニットの施工方法において、
上記化粧板取付工程及び扉取付工程の間に、上記一対の側板パネル及び背板パネルの表面の表面化粧板に桟材を取り付け、該桟材に収納棚を載置する棚設置工程を備えることを特徴とする収納リフォームユニットの施工方法。
【請求項１０】
請求項７〜９の何れか１つに記載された収納リフォームユニットの施工方法において、
上記扉取付工程の後に、上記前面枠の前面及び収納枠の前面に該前面枠の前面を覆うように表面材を取り付ける表面材取付工程を備えることを特徴とする収納リフォームユニットの施工方法。
【請求項１１】
請求項７〜１０の何れか１つに記載された収納リフォームユニットの施工方法において、
上記パネル枠接合工程では、上記一対の側板パネルを上記収納枠に接合し、該一対の側板パネルを上記収納枠の後面側に配置することを特徴とする収納リフォームユニットの施工方法。
【発明の詳細な説明】
【技術分野】
【０００１】
本発明は、収納リフォームユニット及びその施工方法に関するものである。
【背景技術】
【０００２】
従来より、押し入れやクローゼット等の箱状ユニットを構成する部材を現場で組み立てることにより、物流時や施工時等の作業性を向上させた箱状ユニット及びその施工方法は、広く知られている。
【０００３】
例えば、特許文献１には、矧ぎ手を用いて接合される分割背板として背板を構成すると共に、棚枠材により左右の分割背板を連結することを基本とし、施工性に優れると共に補強されて安定した強度を備えた箱状ユニット及びその施工方法が開示されている。
【先行技術文献】
【特許文献】
【０００４】
【特許文献１】特開２００７−１５４４５４号公報
【発明の概要】
【発明が解決しようとする課題】
【０００５】
ところで、例えば、中古マンションをリノベーションするためのマンションのリフォームでは、施工する現場以外において日常生活が続けられているので、施工する工期を短くしたり、現場での作業を減らしたりすることが要望されている。
【０００６】
本発明は、かかる点に鑑みてなされたものであり、その目的とするところは、収納リフォームユニットを短工期且つ省作業で施工することにある。
【課題を解決するための手段】
【０００７】
上記目的を達成するために、本発明に係る収納リフォームユニットは、矩形状の床板パネルと、上記床板パネルの両側端部に立った状態に配置される一対の側板パネルと、上記床板パネルの後端部に立った状態に配置される背板パネルと、上記一対の側板パネルの間に架け渡して配置される天板パネルと、前面に立った状態に配置される枠状の収納枠と、上記収納枠の開口部を開閉する収納扉とを備え、建築物の既存箱状ユニットの内部に収容される収納リフォームユニットであって、上記床板パネル、一対の側板パネル、背板パネル、天板パネル及び収納枠は、上記既存箱状ユニットの内部寸法よりも小さく設計され、上記一対の側板パネル及び背板パネルは、上記床板パネルに接合され、上記天板パネルは、上記一対の側板パネルに接合され、上記収納枠は、上記既存箱状ユニットの前面枠の枠内で該前面枠に接合され、上記一対の側板パネルは、上記収納枠、及び上記前面枠の少なくとも一方に接合されていることを特徴とする。
【０００８】
上記の構成によれば、一対の側板パネル及び背板パネルが床板パネルに接合されているので、一対の側板パネル及び背板パネルが床板パネルの両側端部及び後端部に立った状態にそれぞれ固定されている。また、天板パネルが一対の側板パネルに接合されているので、天板パネルが一対の側板パネルの間に架け渡した状態で固定されている。さらに、一対の側板パネルが既存箱状ユニットの前面枠、及びその前面枠に接合された収納枠の少なくとも一方に接合されているので、既存箱状ユニットの内部に収容される収納リフォームユニットの強度を確保することができる。ここで、床板パネル、一対の側板パネル、背板パネル、天板パネル及び収納枠は、既存箱状ユニットの内部寸法よりも小さく設計されているので、床板パネル、一対の側板パネル、背板パネル、天板パネル及び収納枠を施工現場で切断加工することなく、予め工場で切断加工して準備することができる。これにより、施工現場での切断作業が省略され、施工現場での作業が主に組立作業になるので、収納リフォームユニットを短工期且つ省作業で施工することができる。
【０００９】
さらに、施工現場での切断作業が省略されるので、施工現場で発生する廃材や騒音を減らすことができる。
【００１０】
また、床板パネル、一対の側板パネル、背板パネル、天板パネル及び収納枠は、既存箱状ユニットの内部寸法よりも小さく設計されているので、仮に、既存箱状ユニットの躯体の経年劣化による歪み等があっても、その歪み等を吸収することができ、施工現場の日程計画に影響を及ぼし難くすることができる。
【００１１】
上記床板パネル、一対の側板パネル、背板パネル及び天板パネルの表面には、表面化粧板が設けられていてもよい。
【００１２】
上記の構成によれば、床板パネル、一対の側板パネル、背板パネル及び天板パネルの表面に表面化粧板が設けられているので、収納リフォームユニットの内部の見映えを確保することができる。
【００１３】
上記既存箱状ユニットの内部には、後面側の壁及び天井の間に梁が設けられ、上記梁の前面には、上記天板パネルに接合された梁前面パネルが設けられ、上記一対の側板パネル及び背板パネルの表面には、上記表面化粧板を介して桟材が設けられ、上記桟材上には、収納棚が載置され、上記梁前面パネルは、上記収納棚に到達するように設けられていてもよい。
【００１４】
上記の構成によれば、梁前面パネルが収納棚に到達するように設けられているので、梁前面パネルの後面側に配置するパネル（梁底面パネル等）を省略することができ、省施工化及び低コスト化を図ることができる。
【００１５】
上記床板パネルは、レベル調整可能に設けられていてもよい。
【００１６】
上記の構成によれば、床板パネルがレベル調整可能に設けられているので、仮に、既存箱状ユニットの躯体の経年劣化による歪み等があっても、収納リフォームユニットの床板パネルの水平状態、並びに床板パネルの両側端部及び後端部にそれぞれ接合された一対の側板パネル及び背板パネルの直立状態を保持することができる。
【００１７】
上記前面枠の前面及び収納枠の前面には、該前面枠の前面を覆うように表面材が設けられていてもよい。
【００１８】
上記の構成によれば、前面枠の前面及び収納枠の前面に前面枠の前面を覆うように表面材が設けられているので、既存箱状ユニットの前面枠を隠すことができ、収納リフォームユニットの見映えを向上させることができる。
【００１９】
上記一対の側板パネルは、上記収納枠に接合され、該収納枠の後面側に配置されていてもよい。
【００２０】
上記の構成によれば、仮に、既存箱状ユニットの前面枠に経年劣化による歪み等があっても、前面枠の枠内で収納枠が鉛直に直立状態で接合されていれば、一対の側板パネルを鉛直に直立させることができる。また、一対の側板パネルが収納枠の後面側に配置されているので、収納リフォームユニット内の収納スペースを確保することができる。
【００２１】
また、本発明に係る収納リフォームユニットの施工方法は、矩形状の床板パネルと、上記床板パネルの両側端部に立った状態に配置される一対の側板パネルと、上記床板パネルの後端部に立った状態に配置される背板パネルと、上記一対の側板パネルの間に架け渡して配置される天板パネルと、前面に立った状態に配置される枠状の収納枠と、上記収納枠の開口部を開閉する収納扉とを備え、建築物の既存箱状ユニットの内部に収容される収納リフォームユニットを施工する方法であって、上記既存箱状ユニットの内部の造作物を解体する解体工程と、上記既存箱状ユニットの内部寸法を上記解体工程後の実測定、又は該既存箱状ユニットの設計図面に基づいて設定する寸法設定工程と、上記床板パネル、一対の側板パネル、背板パネル、天板パネル及び収納枠を上記既存箱状ユニットの内部寸法よりも小さくなるように準備する構成部材準備工程と、上記既存箱状ユニットの前面枠の枠内に上記収納枠を設置し、該前面枠に該収納枠を接合する枠接合工程と、上記既存箱状ユニットの内部に上記床板パネルを仮置きする仮置工程と、上記仮置工程の後に、上記床板パネルに上記一対の側板パネル及び背板パネルを接合する第１パネル接合工程と、上記第１パネル接合工程の後に、上記床板パネルのレベル調整を行うレベル調整工程と、上記レベル調整工程の後に、上記一対の側板パネルを上記収納枠、及び上記前面枠の少なくとも一方に接合するパネル枠接合工程と、上記パネル枠接合工程の後に、上記一対の側板パネルに上記天板パネルを接合する第２パネル接合工程と、上記第２パネル接合工程の後に、上記収納枠に上記収納扉を取り付ける扉取付工程とを備えることを特徴とする。
【００２２】
上記の方法によれば、第１パネル接合工程において、一対の側板パネル及び背板パネルを床板パネルに接合するので、一対の側板パネル及び背板パネルが床板パネルの両側端部及び後端部に立った状態にそれぞれ固定される。また、第２パネル接合工程において、天板パネルを一対の側板パネルに接合するので、天板パネルが一対の側板パネルの間に架け渡した状態で固定される。さらに、枠接合工程において、既存箱状ユニットの前面枠に収納枠を接合し、その後、パネル枠接合工程において、一対の側板パネルを既存箱状ユニットの前面枠、及び収納枠の少なくとも一方に接合するので、既存箱状ユニットの内部に収容される収納リフォームユニットの強度を確保することができる。ここで、寸法設定工程では、既存箱状ユニットの内部寸法を解体工程後の実測定、又は既存箱状ユニットの設計図面に基づいて設定し、構成部材準備工程では、床板パネル、一対の側板パネル、背板パネル、天板パネル及び収納枠を既存箱状ユニットの内部寸法よりも小さくなるように準備する。そのため、床板パネル、一対の側板パネル、背板パネル、天板パネル及び収納枠を施工現場で切断加工することなく、予め工場で切断加工して準備することができる。これにより、施工現場での切断作業が省略され、施工現場での作業が主に組立作業になるので、収納リフォームユニットを短工期且つ省作業で施工することができる。
【００２３】
さらに、施工現場での切断作業が省略されるので、施工現場で発生する廃材や騒音を減らすことができる。
【００２４】
また、床板パネル、一対の側板パネル、背板パネル、天板パネル及び収納枠は、既存箱状ユニットの内部寸法よりも小さく設計されているので、仮に、既存箱状ユニットの躯体の経年劣化による歪み等があっても、その歪み等を吸収することができ、施工現場の日程計画に影響を及ぼし難くすることができる。
【００２５】
また、仮置工程において、既存箱状ユニットの内部に床板パネルを仮置きし、第１パネル接合工程の後のレベル調整工程において、床板パネルのレベル調整を行うので、仮に、既存箱状ユニットの躯体の経年劣化による歪み等があっても、収納リフォームユニットの床板パネルの水平状態、並びに床板パネルの両側端部及び後端部にそれぞれ接合された一対の側板パネル及び背板パネルの直立状態を保持することができる。
【００２６】
上記第２パネル接合工程及び扉取付工程の間に、上記床板パネル、一対の側板パネル、背板パネル及び天板パネルの表面に表面化粧板を取り付ける化粧板取付工程を備えてもよい。
【００２７】
上記の方法によれば、第２パネル接合工程及び扉取付工程の間に行う化粧板取付工程において、床板パネル、一対の側板パネル、背板パネル及び天板パネルの表面に表面化粧板を取り付けるので、収納リフォームユニットの内部の見映えを確保することができる。
【００２８】
上記化粧板取付工程及び扉取付工程の間に、上記一対の側板パネル及び背板パネルの表面の表面化粧板に桟材を取り付け、該桟材に収納棚を載置する棚設置工程を備えてもよい。
【００２９】
上記の方法によれば、化粧板取付工程及び扉取付工程の間に行う棚設置工程において、一対の側板パネル及び背板パネルの表面の表面化粧板に桟材を取り付け、桟材に収納棚を載置するので、収納リフォームユニットの内部空間を効果的に区分けすることができる。
【００３０】
上記扉取付工程の後に、上記前面枠の前面及び収納枠の前面に該前面枠の前面を覆うように表面材を取り付ける表面材取付工程を備えてもよい。
【００３１】
上記の方法によれば、収納枠に収納扉を取り付ける扉取付工程の後に行う表面材取付工程において、既存箱状ユニットの前面枠の前面及び収納枠の前面に前面枠の前面を覆うように表面材を取り付けるので、既存箱状ユニットの前面枠を隠すことができ、収納リフォームユニットの見映えを向上させることができる。
【００３２】
上記パネル枠接合工程では、上記一対の側板パネルを上記収納枠に接合し、該一対の側板パネルを上記収納枠の後面側に配置してもよい。
【００３３】
上記の方法によれば、仮に、既存箱状ユニットの前面枠に経年劣化による歪み等があっても、パネル枠接合工程において、前面枠の枠内で収納枠を鉛直に直立状態で接合すれば、一対の側板パネルを鉛直に直立させることができる。また、一対の側板パネルが収納枠の後面側に配置するので、収納リフォームユニット内の収納スペースを確保することができる。
【発明の効果】
【００３４】
本発明によれば、床板パネル、一対の側板パネル、背板パネル、天板パネル及び収納枠が既存箱状ユニットの内部寸法よりも小さく設計されているので、収納リフォームユニットを短工期且つ省作業で施工することができる。
【図面の簡単な説明】
【００３５】
【図１】本発明の実施形態に係る収納リフォームユニットの正面図である。
【図２】本発明の実施形態に係る収納リフォームユニットの高さ方向に沿った下側部分の断面図である。
【図３】図２中のIII−III線に沿った収納リフォームユニットの断面図である。
【図４】図２中のIV−IV線に沿った収納リフォームユニットの断面図である。
【図５】本発明の実施形態に係る収納リフォームユニットを構成する床板パネルを示す平面図である。
【図６】本発明の実施形態に係る収納リフォームユニットを構成する側面パネルを示す平面図である。
【図７】本発明の実施形態に係る収納リフォームユニットを構成する背板パネル及び梁前面パネルを示す平面図である。
【図８】本発明の実施形態に係る収納リフォームユニットの変形例の断面図であり、図４に相当する図である。
【図９】本発明の実施形態に係る収納リフォームユニットの施工方法における解体工程後の既存箱状ユニットの内部の状態を示す正面図である。
【図１０】本発明の実施形態に係る収納リフォームユニットの他の変形例の断面図であり、図２中の領域Ａを拡大した図である。
【発明を実施するための形態】
【００３６】
以下、本発明の実施形態を図面に基づいて詳細に説明する。なお、本発明は、以下の実施形態に限定されるものではない。
【００３７】
図１〜図１０は、本発明に係る収納リフォームユニット及びその施工方法の実施形態を示している。ここで、図１は、本実施形態の収納リフォームユニット９０の正面図である。また、図２は、収納リフォームユニット９０の高さ方向に沿った下側部分の断面図である。また、図３及び図４は、図２中のIII−III線に沿った収納リフォームユニット９０の断面図である。また、図５は、収納リフォームユニット９０を構成する床板パネル１０を示す平面図である。また、図６は、収納リフォームユニット９０を構成する側面パネル２０を示す平面図である。また、図７は、収納リフォームユニット９０を構成する背板パネル３０及び梁前面パネル４７を示す平面図である。また、図８は、収納リフォームユニット９０の変形例である収納リフォームユニット９０ａの断面図であり、図４に相当する図である。
【００３８】
収納リフォームユニット９０は、図１〜図７に示すように、例えば、床板パネル１０、一対の側板パネル２０、背板パネル３０、天板パネル４０、梁底面パネル４５、梁前面パネル４７、収納枠５０、収納扉６０及び収納棚７０を備え、中古マンション等の建築物内の押し入れ等の既存箱状ユニット１００の内部に収容されるように構成されている。ここで、既存箱状ユニット１００の内部には、図３及び図４に示すように、後面側の壁Ｗ及び天井Ｃの間に梁Ｂが配置されている。また、既存箱状ユニット１００の前面には、図２及び図４に示すように、前面枠として木製の押入枠１５０が矩形の枠状に残っている。
【００３９】
床板パネル１０は、図５に示すように、例えば、６本の縦枠材と、２本の横枠材とを枠組みすることにより、外郭が矩形の枠状に設けられている。ここで、床板パネル１０の表面には、図３及び図４に示すように、例えば、ピン状のタッカー等により、矩形状の表面化粧板１１が貼り付けられている。また、床板パネル１０の裏面において、縦枠材と横枠材とが交差する部分には、図５に示すように、高さ調整金具Ｌが取り付けられている。なお、高さ調整金具Ｌは、例えば、ドライバー等で高さ調整ボルトを回動させることにより、その高さ調整ボルトの突出長さを調整するように構成されている。そのため、床板パネル１０は、８つの高さ調整金具Ｌにおいて、床面Ｆからの高さを調整することにより、レベル調整レベル調整可能に設けられている。
【００４０】
側板パネル２０は、図６に示すように、下側側板パネル２０ａと、下側側板パネル２０ａに連結された上側側板パネル２０ｂとを備えている。ここで、側板パネル２０は、図３に示すように、床板パネル１０の両側端部に、例えば、ねじ止め等により、接合固定されて、床板パネル１０の両側端部に直立した状態に配置されている。また、側板パネル２０は、収納枠５０及び押入枠１５０の少なくとも一方に接合固定されている。
【００４１】
下側側板パネル２０ａは、図６に示すように、例えば、３本の縦枠材と、２本の横枠材とを枠組みすることにより、外郭が矩形の枠状に設けられている。ここで、下側側板パネル２０ａの表面には、図２及び図３に示すように、例えば、ピン状のタッカー等により、矩形状の表面化粧板２１ａが枠内空間を覆うように貼り付けられている。
【００４２】
上側側板パネル２０ｂは、図６に示すように、例えば、５本の縦枠材と、４本の横枠材とを枠組みすることにより、既存箱状ユニット１００内の梁Ｂを外すように、外郭がＬ字形の枠状に設けられている。ここで、上側板パネル２０ｂの表面には、図３に示すように、例えば、ピン状のタッカー等により、矩形状の表面化粧板２１ｂが枠内空間を覆うように貼り付けられている。
【００４３】
背板パネル３０は、図７に示すように、例えば、ねじ止め等により、互いに連結された一対の下側背板パネル３０ａと、各下側背板パネル３０ａに連結された上側背板パネル３０ｂとを備えている。ここで、背板パネル３０は、図４に示すように、床板パネル１０の後端部に、例えば、ねじ止め等により、接合固定されて、床板パネル１０の後端部に直立した状態に配置されている。
【００４４】
下側背板パネル３０ａは、図７に示すように、例えば、４本の縦枠材と、２本の横枠材とを枠組みすることにより、外郭が矩形の枠状に設けられている。ここで、下側背板パネル３０ａの表面には、図２及び図４に示すように、例えば、ピン状のタッカー等により、矩形状の表面化粧板３１ａが枠内空間を覆うように貼り付けられている。
【００４５】
上側背板パネル３０ｂは、図７に示すように、例えば、４本の縦枠材と、３本の横枠材とを枠組みすることにより、外郭が矩形の枠状に設けられている。ここで、上側背板パネル３０ｂの表面には、図４に示すように、例えば、ピン状のタッカー等により、矩形状の表面化粧板３１ｂが枠内空間を覆うように貼り付けられている。
【００４６】
天板パネル４０は、図３及び４に示すように、例えば、２本の縦枠材と、３本の横枠材とを枠組みすることにより、外郭が矩形の枠状に設けられている。ここで、天板パネル４０は、図３に示すように、一対の側板パネル２０の前上端部に、例えば、ねじ止め等により、接合固定されて、一対の側板パネル２０の間に架け渡した状態に配置されている。また、天板パネル４０の表面には、図３及び図４に示すように、例えば、ピン状のタッカー等により、矩形状の表面化粧板４１が枠内空間を覆うように貼り付けられている。
【００４７】
梁底面パネル４５は、図４に示すように、例えば、２本の縦枠材（不図示）と、２本の横枠材とを枠組みすることにより、外郭が矩形の枠状に設けられている。ここで、梁底面パネル４５は、一対の側板パネル２０の後上端部及び背板パネル３０の上端部に、例えば、ねじ止め等により、接合固定されて、一対の側板パネル２０の間に架け渡した状態に配置されている。また、梁底面パネル４５の表面には、図４に示すように、例えば、ピン状のタッカー等により、矩形状の表面化粧板４６が枠内空間を覆うように貼り付けられている。
【００４８】
梁前面パネル４７は、図４に示すように、例えば、２本の縦枠材（不図示）と、２本の横枠材とを枠組みすることにより、外郭が矩形の枠状に設けられている。ここで、梁前面パネル４７は、一対の側板パネル２０の前上端部及び後上端部の間の部分、天板パネル４０、並びに梁底面パネル４５に、例えば、ねじ止め等により、接合固定されて、一対の側板パネル２０の間に架け渡した状態に配置されている。また、梁前面パネル４７の表面には、図４に示すように、例えば、ピン状のタッカー等により、矩形状の表面化粧板４８が枠内空間を覆うように貼り付けられている。
【００４９】
ここで、床板パネル１０、側板パネル２０、背板パネル３０、天板パネル４０、梁底面パネル４５及び梁前面パネル４７を構成する縦枠材及び横枠材、並びに後述する枠状部材７２としては、ＬＶＬ（平行合板）、合板、集成材、無垢材等の木質材が用いられている。
【００５０】
また、表面化粧板１１、２１ａ、２１ｂ、３１ａ、３１ｂ、４１、４６及び４８、並びに後述する表面化粧板７１としては、合板、中密度繊維板、高密度繊維板等の木質材、又はその木質材の表面に合成樹脂化粧シート、化粧紙、突板等を貼り付けたものが用いられている。
【００５１】
収納枠５０は、例えば、ＬＶＬ、合板、集成材、無垢材等の木質材により形成され、図２及び図４に示すように、押入枠１５０の枠内に矩形の枠状に設けられている。また、収納枠５０は、例えば、ねじ止め等により、押入枠１５０に接合固定され、収納リフォームユニット９０の前面に立った状態に配置されている。ここで、収納枠５０の枠内には、収納扉６０の上端部及び下端部を案内するための上レール（不図示）及び下レール（不図示）が取り付けられている。また、収納枠５０は、図２に示すように、Ｌ字状の横断面を有している。また、収納枠５０の下辺部の後面側には、図７に示すように、例えば、ねじ止め等により、下段框５が接合固定されている。また、収納枠５０の前面及び押入枠１５０の前面には、図１及び図２に示すように、押入枠１５０の前面を覆うようにケーシング材６１が表面材として設けられている。なお、ケーシング材６１は、例えば、ＬＶＬ、合板、集成材、無垢材等の木質材により形成されている。
【００５２】
収納扉６０は、図１に示すように、左右２枚ずつの折戸形式で収納枠５０の開口部を開閉するように構成されている。
【００５３】
収納棚７０は、図３及び図４に示すように、枠状に設けられた枠状部材７２と、例えば、ピン状のタッカー等により、枠状部材７２の表面に枠内空間を覆うように貼り付けられた表面化粧板７１とを備えている。ここで、収納棚７０は、図３及び図４に示すように、一対の表面化粧材２１ａ及び３１ａの表面に取り付けられた桟材７５上に載置されている。また、収納棚７０は、表面化粧材２１ａ及び２１ｂの継ぎ目、並びに表面化粧材３１ａ及び３１ｂの継ぎ目を隠すように設けられている。また、収納棚７０の前面には、図４に示すように、例えば、ねじ止め等により、前框５３が接合固定されている。なお、本実施形態では、収納リフォームユニット９０の内部の造作物として、収納棚７０を例示したが、例えば、収納棚７０の下側にハンガーパイプ等を造作物として設けてもよい。
【００５４】
上記構成の収納リフォームユニット９０において、床板パネル１０、側板パネル２０、背板パネル３０、天板パネル４０、梁底面パネル４５、梁前面パネル４７及び収納枠５０は、既存箱状ユニット１０の内部寸法よりも（例えば、数ｃｍ〜数１０ｃｍ程度）小さく設計されている。
【００５５】
なお、本実施形態では、梁Ｂの底面に沿って梁底面パネル４５が設けられた収納リフォームユニット９０を例示したが、図８に示すような収納リフォームユニット９０ａであってもよい。ここで、収納リフォームユニット９０ａでは、図８に示すように、梁前面パネル４７に対応する梁前面パネル４７ａが収納棚７０に到達するように設けられている。なお、梁前面パネル４７ａの表面には、図８に示すように、表面化粧板４８に対応する表面化粧板４８ａが枠内空間を覆うように貼り付けられている。また、収納リフォームユニット９０ａでは、図４及び図８を比較すると分かるように、収納リフォームユニット９０を構成する梁底面パネル４５、上側背板パネル３０ｂ、並びに表面化粧材４６及び３１ｂが省略されているので、収納リフォームユニット９０よりも省施工化及び低コスト化を図ることができる。さらに、収納リフォームユニット９０ａでは、各側板パネル２０の上側板パネル２０ｂの後面側の枠材（図６中の部分Ｒ参照）も省略されている。
【００５６】
次に、本実施形態の収納リフォームユニット９０の施工方法について説明する。ここで、図９は、収納リフォームユニット９０の施工方法における解体工程後の既存箱状ユニット１００の内部の状態を示す正面図である。なお、収納リフォームユニット９０の施工方法では、解体工程、寸法設定工程、構成部材準備工程、枠接合工程、仮置工程、第１パネル接合工程、レベル調整工程、パネル枠接合工程、第２パネル接合工程、化粧板取付工程、棚設置工程、扉取付工程及び表面材取付工程を順に行う。
【００５７】
＜解体工程＞
例えば、中古マンション内の押し入れ等の既存箱状ユニット１００の内部の押入棚等の造作物を解体することにより、図９に示すように、既存箱状ユニット１００内部の床面Ｆ、壁Ｗ、天井Ｃ及び梁Ｂを露出させる。
【００５８】
＜寸法設定工程＞
既存箱状ユニット１００の内部寸法を上記解体工程後の実測定、又は建築時の既存箱状ユニット１００の設計図面に基づいて設定する。
【００５９】
＜構成部材準備工程＞
床板パネル１０、一対の側板パネル２０、背板パネル３０、天板パネル４０、梁底面パネル４５、梁前面パネル４７、表面化粧板１１、２１ａ、２１ｂ、３１ａ、３１ｂ、４１、４６及び４８、収納枠５０、収納扉６０、並びに収納棚７０等の構成部材を上記寸法設定工程で設定した既存箱状ユニット１００の内部寸法よりも小さくなるように工場等で準備する。
【００６０】
＜枠接合工程＞
まず、既存箱状ユニット１００の押入枠１５０の枠内に収納枠５０を設置した後に、例えば、ねじ止め等により、押入枠１５０に収納枠５０を接合する。
【００６１】
続いて、収納枠５０の上辺部及び下辺部の枠内に、例えば、ねじ止め等により、上レール及び下レールを接合する。
【００６２】
さらに、収納枠５０の下辺部の後面側に、例えば、ねじ止め等により、下段框５を接合する。
【００６３】
＜仮置工程＞
上記枠接合工程で収納枠５０が接合された既存箱状ユニット１００の内部の床面Ｆに床板パネル１０を仮置きする。
【００６４】
＜第１パネル接合工程＞
まず、上記仮置工程で仮置きされた床板パネル１０に、例えば、ねじ止め等により、一対の下側側板パネル２０ａ及び下側背板パネル３０ａを接合した後に、隣り合う下側側板パネル２０ａ及び下側背板パネル３０ａを接合する。
【００６５】
続いて、一対の下側側板パネル２０ａ及び下側背板パネル３０ａに、例えば、ねじ止め等により、一対の上側板パネル２０ｂ及び上側背板パネル３０ｂを接合する。
【００６６】
＜レベル調整工程＞
上記第１パネル接合工程で一対の側板パネル２０（２０ａ、２０ｂ）及び背板パネル３０（３０ａ、３０ｂ）が接合された床板パネル１０の各高さ調整金具Ｌの高さ調整ボルトを、例えば、ドライバー等により、適宜回動させることにより、その高さ調整ボルトの突出長さを調整して、床板パネル１０のレベル調整を行う。
【００６７】
＜パネル枠接合工程＞
押入枠１５０に、例えば、ねじ止め等により、上記レベル調整工程でレベル調整を行った床板パネル１０に接合された一対の側板パネル２０を接合する。なお、本実施形態では、一対の側板パネル２０を押入枠１５０に接合する施工方法を例示したが、本発明は、一対の側板パネル２０を収納枠５０、又は押入枠１５０及び収納枠５０の双方に接合してもよい。ここで、図１０は、収納リフォームユニット９０の他の変形例の断面図であり、図２中の領域Ａを拡大した図である。
【００６８】
この変形例では、側板パネル２０（下側側板パネル２０ａ）に対応する下側側板パネル２０ａａを例えば厚さ１５ｍｍ程度にスリム化して、図１０に示すように、下側側板パネル２０ａａを収納枠５０に接合し、収納枠５０の後面側に配置している。なお、下側側板パネル２０ａａの表面には、図１０に示すように、表面化粧板２１ａに対応する表面化粧板２１ａａが枠内空間を覆うように貼り付けられている。この変形例によれば、仮に、既存箱状ユニット１００の押入枠１５０に経年劣化による歪み等があっても、押入枠１５０の枠内で収納枠５０のレベル調整を行って、押入枠１５０に収納枠５０を鉛直に直立状態で接合することにより、下側側板パネル２０ａａを鉛直に直立させることができる。また、下側側板パネル２０ａａが収納枠５０の後面側に配置されているので、収納リフォームユニット９０内の収納スペースを確保することができる。
【００６９】
＜第２パネル接合工程＞
上記パネル枠接合工程で押入枠１５０に接合された一対の側板パネル２０（一対の上側板パネル２０ｂ）に、例えば、ねじ止め等により、天板パネル４０、梁底面パネル４５及び梁前面パネル４７を接合した後に、隣り合う天板パネル４０、梁底面パネル４５及び梁前面パネル４７を接合する。
【００７０】
＜化粧板取付工程＞
上記第２パネル接合工程で天板パネル４０、梁底面パネル４５及び梁前面パネル４７が接合されたパネル構造体の床板パネル１０、一対の下側側板パネル２０ａ、一対の上側側板パネル２０ｂ、下側背板パネル３０ａ、上側背板パネル３０ｂ、天板パネル４０、梁底面パネル４５及び梁前面パネル４７の表面に、例えば、タッカー等により、表面化粧板１１、２１ａ、２１ｂ、３１ａ、３１ｂ、４１、４６及び４８を取り付ける。
【００７１】
＜棚設置工程＞
上記化粧板取付工程で取り付けた一対の表面化粧板２１ａ及び３１ａに桟材７５を取り付けた後に、桟材７５上に予め作製した収納棚７０を載置することにより、収納棚７０を設置する。
【００７２】
＜扉取付工程＞
上記棚設置工程で収納棚７０を設置した後に、収納枠５０の上レール及び下レールに収納扉６０を取り付ける。
【００７３】
＜表面材取付工程＞
上記扉取付工程で収納扉６０を取り付けた収納枠５０の前面及び押入枠１５０の前面に押入枠１５０の前面を覆うように、例えば、タッカー等により、ケーシング材６１を取り付ける。
【００７４】
以上のようにして、既存箱状ユニット１００の内部に本実施形態の収納リフォームユニット９０を施工することができる。
【００７５】
以上説明したように、本実施形態の収納リフォームユニット９０及びその施工方法によれば、第１パネル接合工程において、一対の側板パネル２０及び背板パネル３０を床板パネル１０に接合するので、一対の側板パネル２０及び背板パネル３０が床板パネル１０の両側端部及び後端部に立った状態にそれぞれ固定される。また、第２パネル接合工程において、天板パネル４０を一対の側板パネル２０に接合するので、天板パネル４０が一対の側板パネル２０の間に架け渡した状態で固定される。さらに、枠接合工程において、既存箱状ユニット１００の押入枠１５０に収納枠５０を接合し、その後、パネル枠接合工程において、一対の側板パネル２０を既存箱状ユニットの押入枠１５０、及び収納枠５０の少なくとも一方に接合するので、既存箱状ユニット１００の内部に収容される収納リフォームユニット９０の強度を確保することができる。ここで、寸法設定工程では、既存箱状ユニット１００の内部寸法を解体工程後の実測定、又は既存箱状ユニット１００の設計図面に基づいて設定し、構成部材準備工程では、床板パネル１０、一対の側板パネル２０、背板パネル３０、天板パネル４０、梁底面パネル４５、梁前面パネル４７及び収納枠５０を既存箱状ユニット１００の内部寸法よりも小さくなるように準備する。そのため、床板パネル１０、一対の側板パネル２０、背板パネル４０、天板パネル４０、梁底面パネル４５、梁前面パネル４７及び収納枠５０を施工現場で切断加工することなく、予め工場で切断加工して準備することができる。これにより、施工現場での切断作業が省略され、施工現場での作業が主に組立作業になるので、収納リフォームユニット９０を短工期且つ省作業で施工することができる。
【００７６】
さらに、施工現場での切断作業が省略されるので、施工現場で発生する廃材や騒音を減らすことができる。
【００７７】
また、床板パネル１０、一対の側板パネル２０、背板パネル３０、天板パネル４０、梁底面パネル４５、梁前面パネル４７及び収納枠５０は、既存箱状ユニット１００の内部寸法よりも小さく設計されているので、仮に、既存箱状ユニット１００の躯体の経年劣化による歪み等があっても、その歪み等を吸収することができ、施工現場の日程計画に影響を及ぼし難くすることができる。
【００７８】
また、仮置工程において、既存箱状ユニット１００の内部に床板パネル１０を仮置きし、第１パネル接合工程の後のレベル調整工程において、床板パネル１０のレベル調整を行うので、仮に、既存箱状ユニット１００の躯体の経年劣化による歪み等があっても、収納リフォームユニット９０の床板パネル１０の水平状態、並びに床板パネル１０の両側端部及び後端部にそれぞれ接合された一対の側板パネル２０及び背板パネル３０の直立状態を保持することができる。
【００７９】
また、本実施形態の収納リフォームユニット９０及びその施工方法によれば、第２パネル接合工程及び扉取付工程の間に行う化粧板取付工程において、床板パネル１０、下側側板パネル２０ａ、上側側板パネル２０ｂ、下側背板パネル３０ａ、上側背板パネル３０ｂ、天板パネル４０、梁底面パネル４５及び梁前面パネル４７の表面に表面化粧板１１、２１ａ、２１ｂ、３１ａ、３１ｂ、４１、４６及び４８を取り付けるので、収納リフォームユニット９０の内部の見映えを確保することができる。
【００８０】
また、本実施形態の収納リフォームユニット９０及びその施工方法によれば、化粧板取付工程及び扉取付工程の間に行う棚設置工程において、一対の下側側板パネル２０ａ及び下側背板パネル３０ａの表面の表面化粧板２１ａ及び３１ａに桟材７５を取り付け、桟材７５に収納棚７０を載置するので、収納リフォームユニット９０の内部空間を効果的に区分けすることができる。
【００８１】
また、本実施形態の収納リフォームユニット９０及びその施工方法によれば、収納枠５０に収納扉６０を取り付ける扉取付工程の後に行う表面材取付工程において、既存箱状ユニットの押入枠１５０の前面及び収納枠５０の前面に押入枠１５０の前面を覆うようにケーシング材６１を取り付けるので、既存箱状ユニット１００の押入枠１５０を隠すことができ、収納リフォームユニット９０の見映えを向上させることができる。
【００８２】
《その他の実施形態》
上記実施形態では、建築物の既存箱状ユニットの内部に収容される収納リフォームユニットを例示したが、本発明は、押し入れやクローゼット等の収納ユニットのリフォームだけでなく、例えば、トイレ等のリフォームにも適用することができる。
【産業上の利用可能性】
【００８３】
以上説明したように、本発明は、収納リフォームユニットを短工期且つ省作業で施工することができるので、極めて有用である。
【符号の説明】
【００８４】
Ｂ          梁
Ｃ          天井
Ｗ          壁
１０        床板パネル
１１，２１ａ，２１ａａ，２１ｂ，３１ａ，３１ｂ，４１      表面化粧板
２０        側板パネル
２０ａａ    下側側板パネル
３０        背板パネル
４０        天板パネル
４７ａ      梁前面パネル
５０        収納枠
６０        収納扉
６１        ケーシング材（表面材）
７０        収納棚
７５        桟材
９０，９０ａ    収納リフォームユニット
１００      既存箱状ユニット
１５０      押入枠（前面枠）
【図１】
2020143568.tif 000003
【図２】
2020143568.tif 000004
【図３】
2020143568.tif 000005
【図４】
2020143568.tif 000006
【図５】
2020143568.tif 000007
【図６】
2020143568.tif 000008
【図７】
2020143568.tif 000009
【図８】
2020143568.tif 000010
【図９】
2020143568.tif 000011
【図１０】
2020143568.tif 000012
【手続補正書】
【提出日】令和2年7月29日(2020.7.29)
【手続補正１】
【補正対象書類名】明細書
【補正対象項目名】全文
【補正方法】変更
【補正の内容】
【発明の詳細な説明】
【技術分野】
【０００１】
本発明は、収納リフォームユニット及びその施工方法に関するものである。
【背景技術】
【０００２】
従来より、押し入れやクローゼット等の箱状ユニットを構成する部材を現場で組み立てることにより、物流時や施工時等の作業性を向上させた箱状ユニット及びその施工方法は、広く知られている。
【０００３】
例えば、特許文献１には、矧ぎ手を用いて接合される分割背板として背板を構成すると共に、棚枠材により左右の分割背板を連結することを基本とし、施工性に優れると共に補強されて安定した強度を備えた箱状ユニット及びその施工方法が開示されている。
【先行技術文献】
【特許文献】
【０００４】
【特許文献１】特開２００７−１５４４５４号公報
【発明の概要】
【発明が解決しようとする課題】
【０００５】
ところで、例えば、中古マンションをリノベーションするためのマンションのリフォームでは、施工する現場以外において日常生活が続けられているので、施工する工期を短くしたり、現場での作業を減らしたりすることが要望されている。
【０００６】
本発明は、かかる点に鑑みてなされたものであり、その目的とするところは、収納リフォームユニットを短工期且つ省作業で施工することにある。
【課題を解決するための手段】
【０００７】
上記目的を達成するために、本発明に係る収納リフォームユニットは、矩形状の床板パネルと、上記床板パネルの両側端部に立った状態に配置される一対の側板パネルと、上記床板パネルの後端部に立った状態に配置される背板パネルと、上記一対の側板パネルの間に架け渡して配置される天板パネルと、前面に立った状態に配置される枠状の収納枠と、上記収納枠の開口部を開閉する収納扉とを備え、建築物の既存箱状ユニットの内部に収容される収納リフォームユニットであって、上記床板パネル、一対の側板パネル、背板パネル、天板パネル及び収納枠は、上記既存箱状ユニットの内部寸法よりも小さく設計され、上記一対の側板パネル及び背板パネルは、上記床板パネルに接合され、上記天板パネルは、上記一対の側板パネルに接合され、上記収納枠は、上記既存箱状ユニットの前面枠の枠内で該前面枠に接合され、上記一対の側板パネルは、上記収納枠、及び上記前面枠の少なくとも一方に接合され、上記床板パネルは、上記既存箱状ユニットの床面に接する複数の高さ調整金具によって、該床面からの高さを調整することによりレベル調整可能に設けられていることを特徴とする。
【０００８】
上記の構成によれば、一対の側板パネル及び背板パネルが床板パネルに接合されているので、一対の側板パネル及び背板パネルが床板パネルの両側端部及び後端部に立った状態にそれぞれ固定されている。また、天板パネルが一対の側板パネルに接合されているので、天板パネルが一対の側板パネルの間に架け渡した状態で固定されている。さらに、一対の側板パネルが既存箱状ユニットの前面枠、及びその前面枠に接合された収納枠の少なくとも一方に接合されているので、既存箱状ユニットの内部に収容される収納リフォームユニットの強度を確保することができる。ここで、床板パネル、一対の側板パネル、背板パネル、天板パネル及び収納枠は、既存箱状ユニットの内部寸法よりも小さく設計されているので、床板パネル、一対の側板パネル、背板パネル、天板パネル及び収納枠を施工現場で切断加工することなく、予め工場で切断加工して準備することができる。これにより、施工現場での切断作業が省略され、施工現場での作業が主に組立作業になるので、収納リフォームユニットを短工期且つ省作業で施工することができる。
【０００９】
さらに、施工現場での切断作業が省略されるので、施工現場で発生する廃材や騒音を減らすことができる。
【００１０】
また、床板パネル、一対の側板パネル、背板パネル、天板パネル及び収納枠は、既存箱状ユニットの内部寸法よりも小さく設計されているので、仮に、既存箱状ユニットの躯体の経年劣化による歪み等があっても、その歪み等を吸収することができ、施工現場の日程計画に影響を及ぼし難くすることができる。
【００１１】
また、床板パネルがレベル調整可能に設けられているので、仮に、既存箱状ユニットの躯体の経年劣化による歪み等があっても、収納リフォームユニットの床板パネルの水平状態、並びに床板パネルの両側端部及び後端部にそれぞれ接合された一対の側板パネル及び背板パネルの直立状態を保持することができる。
【００１２】
上記床板パネル、一対の側板パネル、背板パネル及び天板パネルの表面には、表面化粧板が設けられ、上記既存箱状ユニットの内部には、後面側の壁及び天井の間に梁が設けられ、上記梁の前面には、上記天板パネルに接合された梁前面パネルが設けられ、上記一対の側板パネル及び背板パネルの表面には、上記表面化粧板を介して桟材が設けられ、上記桟材上には、収納棚が載置され、上記梁前面パネルは、上記収納棚に到達するように設けられていてもよい。
【００１３】
上記の構成によれば、床板パネル、一対の側板パネル、背板パネル及び天板パネルの表面に表面化粧板が設けられているので、収納リフォームユニットの内部の見映えを確保することができる。
【００１４】
また、梁前面パネルが収納棚に到達するように設けられているので、梁前面パネルの後面側に配置するパネル（梁底面パネル等）を省略することができ、省施工化及び低コスト化を図ることができる。
【００１５】
上記収納棚は、上記表面化粧板の継ぎ目を隠すように設けられていてもよい。
【００１６】
上記前面枠の前面及び収納枠の前面には、該前面枠の前面を覆うように表面材が設けられていてもよい。
【００１７】
上記の構成によれば、前面枠の前面及び収納枠の前面に前面枠の前面を覆うように表面材が設けられているので、既存箱状ユニットの前面枠を隠すことができ、収納リフォームユニットの見映えを向上させることができる。
【００１８】
上記一対の側板パネルは、上記収納枠に接合され、該収納枠の後面側に配置されていてもよい。
【００１９】
上記の構成によれば、仮に、既存箱状ユニットの前面枠に経年劣化による歪み等があっても、前面枠の枠内で収納枠が鉛直に直立状態で接合されていれば、一対の側板パネルを鉛直に直立させることができる。また、一対の側板パネルが収納枠の後面側に配置されているので、収納リフォームユニット内の収納スペースを確保することができる。
【００２０】
上記一対の側板パネルは、上記前面枠の後面側に配置されていてもよい。
【００２１】
また、本発明に係る収納リフォームユニットの施工方法は、矩形状の床板パネルと、上記床板パネルの両側端部に立った状態に配置される一対の側板パネルと、上記床板パネルの後端部に立った状態に配置される背板パネルと、上記一対の側板パネルの間に架け渡して配置される天板パネルと、前面に立った状態に配置される枠状の収納枠と、上記収納枠の開口部を開閉する収納扉とを備え、建築物の既存箱状ユニットの内部に収容される収納リフォームユニットを施工する方法であって、上記既存箱状ユニットの内部の造作物を解体する解体工程と、上記既存箱状ユニットの内部寸法を上記解体工程後の実測定、又は該既存箱状ユニットの設計図面に基づいて設定する寸法設定工程と、上記床板パネル、一対の側板パネル、背板パネル、天板パネル及び収納枠を上記既存箱状ユニットの内部寸法よりも小さくなるように準備する構成部材準備工程と、上記既存箱状ユニットの前面枠の枠内に上記収納枠を設置し、該前面枠に該収納枠を接合する枠接合工程と、上記既存箱状ユニットの内部に上記床板パネルを仮置きする仮置工程と、上記仮置工程の後に、上記床板パネルに上記一対の側板パネル及び背板パネルを接合する第１パネル接合工程と、上記第１パネル接合工程の後に、上記既存箱状ユニットの床面に接する複数の高さ調整金具によって、該床面からの高さを調整することにより上記床板パネルのレベル調整を行うレベル調整工程と、上記レベル調整工程の後に、上記一対の側板パネルを上記収納枠、及び上記前面枠の少なくとも一方に接合するパネル枠接合工程と、上記パネル枠接合工程の後に、上記一対の側板パネルに上記天板パネルを接合する第２パネル接合工程と、上記第２パネル接合工程の後に、上記収納枠に上記収納扉を取り付ける扉取付工程とを備えることを特徴とする。
【００２２】
上記の方法によれば、第１パネル接合工程において、一対の側板パネル及び背板パネルを床板パネルに接合するので、一対の側板パネル及び背板パネルが床板パネルの両側端部及び後端部に立った状態にそれぞれ固定される。また、第２パネル接合工程において、天板パネルを一対の側板パネルに接合するので、天板パネルが一対の側板パネルの間に架け渡した状態で固定される。さらに、枠接合工程において、既存箱状ユニットの前面枠に収納枠を接合し、その後、パネル枠接合工程において、一対の側板パネルを既存箱状ユニットの前面枠、及び収納枠の少なくとも一方に接合するので、既存箱状ユニットの内部に収容される収納リフォームユニットの強度を確保することができる。ここで、寸法設定工程では、既存箱状ユニットの内部寸法を解体工程後の実測定、又は既存箱状ユニットの設計図面に基づいて設定し、構成部材準備工程では、床板パネル、一対の側板パネル、背板パネル、天板パネル及び収納枠を既存箱状ユニットの内部寸法よりも小さくなるように準備する。そのため、床板パネル、一対の側板パネル、背板パネル、天板パネル及び収納枠を施工現場で切断加工することなく、予め工場で切断加工して準備することができる。これにより、施工現場での切断作業が省略され、施工現場での作業が主に組立作業になるので、収納リフォームユニットを短工期且つ省作業で施工することができる。
【００２３】
さらに、施工現場での切断作業が省略されるので、施工現場で発生する廃材や騒音を減らすことができる。
【００２４】
また、床板パネル、一対の側板パネル、背板パネル、天板パネル及び収納枠は、既存箱状ユニットの内部寸法よりも小さく設計されているので、仮に、既存箱状ユニットの躯体の経年劣化による歪み等があっても、その歪み等を吸収することができ、施工現場の日程計画に影響を及ぼし難くすることができる。
【００２５】
また、仮置工程において、既存箱状ユニットの内部に床板パネルを仮置きし、第１パネル接合工程の後のレベル調整工程において、床板パネルのレベル調整を行うので、仮に、既存箱状ユニットの躯体の経年劣化による歪み等があっても、収納リフォームユニットの床板パネルの水平状態、並びに床板パネルの両側端部及び後端部にそれぞれ接合された一対の側板パネル及び背板パネルの直立状態を保持することができる。
【００２６】
上記第２パネル接合工程及び扉取付工程の間に、上記床板パネル、一対の側板パネル、背板パネル及び天板パネルの表面に表面化粧板を取り付ける化粧板取付工程を備え、上記化粧板取付工程及び扉取付工程の間に、上記一対の側板パネル及び背板パネルの表面の表面化粧板に桟材を取り付け、該桟材に収納棚を載置する棚設置工程を備えてもよい。
【００２７】
上記の方法によれば、第２パネル接合工程及び扉取付工程の間に行う化粧板取付工程において、床板パネル、一対の側板パネル、背板パネル及び天板パネルの表面に表面化粧板を取り付けるので、収納リフォームユニットの内部の見映えを確保することができる。
【００２８】
また、化粧板取付工程及び扉取付工程の間に行う棚設置工程において、一対の側板パネル及び背板パネルの表面の表面化粧板に桟材を取り付け、桟材に収納棚を載置するので、収納リフォームユニットの内部空間を効果的に区分けすることができる。
【００２９】
上記扉取付工程の後に、上記前面枠の前面及び収納枠の前面に該前面枠の前面を覆うように表面材を取り付ける表面材取付工程を備えてもよい。
【００３０】
上記の方法によれば、収納枠に収納扉を取り付ける扉取付工程の後に行う表面材取付工程において、既存箱状ユニットの前面枠の前面及び収納枠の前面に前面枠の前面を覆うように表面材を取り付けるので、既存箱状ユニットの前面枠を隠すことができ、収納リフォームユニットの見映えを向上させることができる。
【００３１】
上記パネル枠接合工程では、上記一対の側板パネルを上記収納枠に接合し、該一対の側板パネルを上記収納枠の後面側に配置してもよい。
【００３２】
上記の方法によれば、仮に、既存箱状ユニットの前面枠に経年劣化による歪み等があっても、パネル枠接合工程において、前面枠の枠内で収納枠を鉛直に直立状態で接合すれば、一対の側板パネルを鉛直に直立させることができる。また、一対の側板パネルが収納枠の後面側に配置するので、収納リフォームユニット内の収納スペースを確保することができる。
【発明の効果】
【００３３】
本発明によれば、床板パネル、一対の側板パネル、背板パネル、天板パネル及び収納枠が既存箱状ユニットの内部寸法よりも小さく設計されているので、収納リフォームユニットを短工期且つ省作業で施工することができる。
【図面の簡単な説明】
【００３４】
【図１】本発明の実施形態に係る収納リフォームユニットの正面図である。
【図２】本発明の実施形態に係る収納リフォームユニットの高さ方向に沿った下側部分の断面図である。
【図３】図２中のIII−III線に沿った収納リフォームユニットの断面図である。
【図４】図２中のIV−IV線に沿った収納リフォームユニットの断面図である。
【図５】本発明の実施形態に係る収納リフォームユニットを構成する床板パネルを示す平面図である。
【図６】本発明の実施形態に係る収納リフォームユニットを構成する側面パネルを示す平面図である。
【図７】本発明の実施形態に係る収納リフォームユニットを構成する背板パネル及び梁前面パネルを示す平面図である。
【図８】本発明の実施形態に係る収納リフォームユニットの変形例の断面図であり、図４に相当する図である。
【図９】本発明の実施形態に係る収納リフォームユニットの施工方法における解体工程後の既存箱状ユニットの内部の状態を示す正面図である。
【図１０】本発明の実施形態に係る収納リフォームユニットの他の変形例の断面図であり、図２中の領域Ａを拡大した図である。
【発明を実施するための形態】
【００３５】
以下、本発明の実施形態を図面に基づいて詳細に説明する。なお、本発明は、以下の実施形態に限定されるものではない。
【００３６】
図１〜図１０は、本発明に係る収納リフォームユニット及びその施工方法の実施形態を示している。ここで、図１は、本実施形態の収納リフォームユニット９０の正面図である。また、図２は、収納リフォームユニット９０の高さ方向に沿った下側部分の断面図である。また、図３及び図４は、図２中のIII−III線に沿った収納リフォームユニット９０の断面図である。また、図５は、収納リフォームユニット９０を構成する床板パネル１０を示す平面図である。また、図６は、収納リフォームユニット９０を構成する側面パネル２０を示す平面図である。また、図７は、収納リフォームユニット９０を構成する背板パネル３０及び梁前面パネル４７を示す平面図である。また、図８は、収納リフォームユニット９０の変形例である収納リフォームユニット９０ａの断面図であり、図４に相当する図である。
【００３７】
収納リフォームユニット９０は、図１〜図７に示すように、例えば、床板パネル１０、一対の側板パネル２０、背板パネル３０、天板パネル４０、梁底面パネル４５、梁前面パネル４７、収納枠５０、収納扉６０及び収納棚７０を備え、中古マンション等の建築物内の押し入れ等の既存箱状ユニット１００の内部に収容されるように構成されている。ここで、既存箱状ユニット１００の内部には、図３及び図４に示すように、後面側の壁Ｗ及び天井Ｃの間に梁Ｂが配置されている。また、既存箱状ユニット１００の前面には、図２及び図４に示すように、前面枠として木製の押入枠１５０が矩形の枠状に残っている。
【００３８】
床板パネル１０は、図５に示すように、例えば、６本の縦枠材と、２本の横枠材とを枠組みすることにより、外郭が矩形の枠状に設けられている。ここで、床板パネル１０の表面には、図３及び図４に示すように、例えば、ピン状のタッカー等により、矩形状の表面化粧板１１が貼り付けられている。また、床板パネル１０の裏面において、縦枠材と横枠材とが交差する部分には、図５に示すように、高さ調整金具Ｌが取り付けられている。なお、高さ調整金具Ｌは、例えば、ドライバー等で高さ調整ボルトを回動させることにより、その高さ調整ボルトの突出長さを調整するように構成されている。そのため、床板パネル１０は、８つの高さ調整金具Ｌにおいて、床面Ｆからの高さを調整することにより、レベル調整レベル調整可能に設けられている。
【００３９】
側板パネル２０は、図６に示すように、下側側板パネル２０ａと、下側側板パネル２０ａに連結された上側側板パネル２０ｂとを備えている。ここで、側板パネル２０は、図３に示すように、床板パネル１０の両側端部に、例えば、ねじ止め等により、接合固定されて、床板パネル１０の両側端部に直立した状態に配置されている。また、側板パネル２０は、収納枠５０及び押入枠１５０の少なくとも一方に接合固定されている。
【００４０】
下側側板パネル２０ａは、図６に示すように、例えば、３本の縦枠材と、２本の横枠材とを枠組みすることにより、外郭が矩形の枠状に設けられている。ここで、下側側板パネル２０ａの表面には、図２及び図３に示すように、例えば、ピン状のタッカー等により、矩形状の表面化粧板２１ａが枠内空間を覆うように貼り付けられている。
【００４１】
上側側板パネル２０ｂは、図６に示すように、例えば、５本の縦枠材と、４本の横枠材とを枠組みすることにより、既存箱状ユニット１００内の梁Ｂを外すように、外郭がＬ字形の枠状に設けられている。ここで、上側板パネル２０ｂの表面には、図３に示すように、例えば、ピン状のタッカー等により、矩形状の表面化粧板２１ｂが枠内空間を覆うように貼り付けられている。
【００４２】
背板パネル３０は、図７に示すように、例えば、ねじ止め等により、互いに連結された一対の下側背板パネル３０ａと、各下側背板パネル３０ａに連結された上側背板パネル３０ｂとを備えている。ここで、背板パネル３０は、図４に示すように、床板パネル１０の後端部に、例えば、ねじ止め等により、接合固定されて、床板パネル１０の後端部に直立した状態に配置されている。
【００４３】
下側背板パネル３０ａは、図７に示すように、例えば、４本の縦枠材と、２本の横枠材とを枠組みすることにより、外郭が矩形の枠状に設けられている。ここで、下側背板パネル３０ａの表面には、図２及び図４に示すように、例えば、ピン状のタッカー等により、矩形状の表面化粧板３１ａが枠内空間を覆うように貼り付けられている。
【００４４】
上側背板パネル３０ｂは、図７に示すように、例えば、４本の縦枠材と、３本の横枠材とを枠組みすることにより、外郭が矩形の枠状に設けられている。ここで、上側背板パネル３０ｂの表面には、図４に示すように、例えば、ピン状のタッカー等により、矩形状の表面化粧板３１ｂが枠内空間を覆うように貼り付けられている。
【００４５】
天板パネル４０は、図３及び４に示すように、例えば、２本の縦枠材と、３本の横枠材とを枠組みすることにより、外郭が矩形の枠状に設けられている。ここで、天板パネル４０は、図３に示すように、一対の側板パネル２０の前上端部に、例えば、ねじ止め等により、接合固定されて、一対の側板パネル２０の間に架け渡した状態に配置されている。また、天板パネル４０の表面には、図３及び図４に示すように、例えば、ピン状のタッカー等により、矩形状の表面化粧板４１が枠内空間を覆うように貼り付けられている。
【００４６】
梁底面パネル４５は、図４に示すように、例えば、２本の縦枠材（不図示）と、２本の横枠材とを枠組みすることにより、外郭が矩形の枠状に設けられている。ここで、梁底面パネル４５は、一対の側板パネル２０の後上端部及び背板パネル３０の上端部に、例えば、ねじ止め等により、接合固定されて、一対の側板パネル２０の間に架け渡した状態に配置されている。また、梁底面パネル４５の表面には、図４に示すように、例えば、ピン状のタッカー等により、矩形状の表面化粧板４６が枠内空間を覆うように貼り付けられている。
【００４７】
梁前面パネル４７は、図４に示すように、例えば、２本の縦枠材（不図示）と、２本の横枠材とを枠組みすることにより、外郭が矩形の枠状に設けられている。ここで、梁前面パネル４７は、一対の側板パネル２０の前上端部及び後上端部の間の部分、天板パネル４０、並びに梁底面パネル４５に、例えば、ねじ止め等により、接合固定されて、一対の側板パネル２０の間に架け渡した状態に配置されている。また、梁前面パネル４７の表面には、図４に示すように、例えば、ピン状のタッカー等により、矩形状の表面化粧板４８が枠内空間を覆うように貼り付けられている。
【００４８】
ここで、床板パネル１０、側板パネル２０、背板パネル３０、天板パネル４０、梁底面パネル４５及び梁前面パネル４７を構成する縦枠材及び横枠材、並びに後述する枠状部材７２としては、ＬＶＬ（平行合板）、合板、集成材、無垢材等の木質材が用いられている。
【００４９】
また、表面化粧板１１、２１ａ、２１ｂ、３１ａ、３１ｂ、４１、４６及び４８、並びに後述する表面化粧板７１としては、合板、中密度繊維板、高密度繊維板等の木質材、又はその木質材の表面に合成樹脂化粧シート、化粧紙、突板等を貼り付けたものが用いられている。
【００５０】
収納枠５０は、例えば、ＬＶＬ、合板、集成材、無垢材等の木質材により形成され、図２及び図４に示すように、押入枠１５０の枠内に矩形の枠状に設けられている。また、収納枠５０は、例えば、ねじ止め等により、押入枠１５０に接合固定され、収納リフォームユニット９０の前面に立った状態に配置されている。ここで、収納枠５０の枠内には、収納扉６０の上端部及び下端部を案内するための上レール（不図示）及び下レール（不図示）が取り付けられている。また、収納枠５０は、図２に示すように、Ｌ字状の横断面を有している。また、収納枠５０の下辺部の後面側には、図７に示すように、例えば、ねじ止め等により、下段框５が接合固定されている。また、収納枠５０の前面及び押入枠１５０の前面には、図１及び図２に示すように、押入枠１５０の前面を覆うようにケーシング材６１が表面材として設けられている。なお、ケーシング材６１は、例えば、ＬＶＬ、合板、集成材、無垢材等の木質材により形成されている。
【００５１】
収納扉６０は、図１に示すように、左右２枚ずつの折戸形式で収納枠５０の開口部を開閉するように構成されている。
【００５２】
収納棚７０は、図３及び図４に示すように、枠状に設けられた枠状部材７２と、例えば、ピン状のタッカー等により、枠状部材７２の表面に枠内空間を覆うように貼り付けられた表面化粧板７１とを備えている。ここで、収納棚７０は、図３及び図４に示すように、一対の表面化粧材２１ａ及び３１ａの表面に取り付けられた桟材７５上に載置されている。また、収納棚７０は、表面化粧材２１ａ及び２１ｂの継ぎ目、並びに表面化粧材３１ａ及び３１ｂの継ぎ目を隠すように設けられている。また、収納棚７０の前面には、図４に示すように、例えば、ねじ止め等により、前框５３が接合固定されている。なお、本実施形態では、収納リフォームユニット９０の内部の造作物として、収納棚７０を例示したが、例えば、収納棚７０の下側にハンガーパイプ等を造作物として設けてもよい。
【００５３】
上記構成の収納リフォームユニット９０において、床板パネル１０、側板パネル２０、背板パネル３０、天板パネル４０、梁底面パネル４５、梁前面パネル４７及び収納枠５０は、既存箱状ユニット１０の内部寸法よりも（例えば、数ｃｍ〜数１０ｃｍ程度）小さく設計されている。
【００５４】
なお、本実施形態では、梁Ｂの底面に沿って梁底面パネル４５が設けられた収納リフォームユニット９０を例示したが、図８に示すような収納リフォームユニット９０ａであってもよい。ここで、収納リフォームユニット９０ａでは、図８に示すように、梁前面パネル４７に対応する梁前面パネル４７ａが収納棚７０に到達するように設けられている。なお、梁前面パネル４７ａの表面には、図８に示すように、表面化粧板４８に対応する表面化粧板４８ａが枠内空間を覆うように貼り付けられている。また、収納リフォームユニット９０ａでは、図４及び図８を比較すると分かるように、収納リフォームユニット９０を構成する梁底面パネル４５、上側背板パネル３０ｂ、並びに表面化粧材４６及び３１ｂが省略されているので、収納リフォームユニット９０よりも省施工化及び低コスト化を図ることができる。さらに、収納リフォームユニット９０ａでは、各側板パネル２０の上側板パネル２０ｂの後面側の枠材（図６中の部分Ｒ参照）も省略されている。
【００５５】
次に、本実施形態の収納リフォームユニット９０の施工方法について説明する。ここで、図９は、収納リフォームユニット９０の施工方法における解体工程後の既存箱状ユニット１００の内部の状態を示す正面図である。なお、収納リフォームユニット９０の施工方法では、解体工程、寸法設定工程、構成部材準備工程、枠接合工程、仮置工程、第１パネル接合工程、レベル調整工程、パネル枠接合工程、第２パネル接合工程、化粧板取付工程、棚設置工程、扉取付工程及び表面材取付工程を順に行う。
【００５６】
＜解体工程＞
例えば、中古マンション内の押し入れ等の既存箱状ユニット１００の内部の押入棚等の造作物を解体することにより、図９に示すように、既存箱状ユニット１００内部の床面Ｆ、壁Ｗ、天井Ｃ及び梁Ｂを露出させる。
【００５７】
＜寸法設定工程＞
既存箱状ユニット１００の内部寸法を上記解体工程後の実測定、又は建築時の既存箱状ユニット１００の設計図面に基づいて設定する。
【００５８】
＜構成部材準備工程＞
床板パネル１０、一対の側板パネル２０、背板パネル３０、天板パネル４０、梁底面パネル４５、梁前面パネル４７、表面化粧板１１、２１ａ、２１ｂ、３１ａ、３１ｂ、４１、４６及び４８、収納枠５０、収納扉６０、並びに収納棚７０等の構成部材を上記寸法設定工程で設定した既存箱状ユニット１００の内部寸法よりも小さくなるように工場等で準備する。
【００５９】
＜枠接合工程＞
まず、既存箱状ユニット１００の押入枠１５０の枠内に収納枠５０を設置した後に、例えば、ねじ止め等により、押入枠１５０に収納枠５０を接合する。
【００６０】
続いて、収納枠５０の上辺部及び下辺部の枠内に、例えば、ねじ止め等により、上レール及び下レールを接合する。
【００６１】
さらに、収納枠５０の下辺部の後面側に、例えば、ねじ止め等により、下段框５を接合する。
【００６２】
＜仮置工程＞
上記枠接合工程で収納枠５０が接合された既存箱状ユニット１００の内部の床面Ｆに床板パネル１０を仮置きする。
【００６３】
＜第１パネル接合工程＞
まず、上記仮置工程で仮置きされた床板パネル１０に、例えば、ねじ止め等により、一対の下側側板パネル２０ａ及び下側背板パネル３０ａを接合した後に、隣り合う下側側板パネル２０ａ及び下側背板パネル３０ａを接合する。
【００６４】
続いて、一対の下側側板パネル２０ａ及び下側背板パネル３０ａに、例えば、ねじ止め等により、一対の上側板パネル２０ｂ及び上側背板パネル３０ｂを接合する。
【００６５】
＜レベル調整工程＞
上記第１パネル接合工程で一対の側板パネル２０（２０ａ、２０ｂ）及び背板パネル３０（３０ａ、３０ｂ）が接合された床板パネル１０の各高さ調整金具Ｌの高さ調整ボルトを、例えば、ドライバー等により、適宜回動させることにより、その高さ調整ボルトの突出長さを調整して、床板パネル１０のレベル調整を行う。
【００６６】
＜パネル枠接合工程＞
押入枠１５０に、例えば、ねじ止め等により、上記レベル調整工程でレベル調整を行った床板パネル１０に接合された一対の側板パネル２０を接合する。なお、本実施形態では、一対の側板パネル２０を押入枠１５０に接合する施工方法を例示したが、本発明は、一対の側板パネル２０を収納枠５０、又は押入枠１５０及び収納枠５０の双方に接合してもよい。ここで、図１０は、収納リフォームユニット９０の他の変形例の断面図であり、図２中の領域Ａを拡大した図である。
【００６７】
この変形例では、側板パネル２０（下側側板パネル２０ａ）に対応する下側側板パネル２０ａａを例えば厚さ１５ｍｍ程度にスリム化して、図１０に示すように、下側側板パネル２０ａａを収納枠５０に接合し、収納枠５０の後面側に配置している。なお、下側側板パネル２０ａａの表面には、図１０に示すように、表面化粧板２１ａに対応する表面化粧板２１ａａが枠内空間を覆うように貼り付けられている。この変形例によれば、仮に、既存箱状ユニット１００の押入枠１５０に経年劣化による歪み等があっても、押入枠１５０の枠内で収納枠５０のレベル調整を行って、押入枠１５０に収納枠５０を鉛直に直立状態で接合することにより、下側側板パネル２０ａａを鉛直に直立させることができる。また、下側側板パネル２０ａａが収納枠５０の後面側に配置されているので、収納リフォームユニット９０内の収納スペースを確保することができる。
【００６８】
＜第２パネル接合工程＞
上記パネル枠接合工程で押入枠１５０に接合された一対の側板パネル２０（一対の上側板パネル２０ｂ）に、例えば、ねじ止め等により、天板パネル４０、梁底面パネル４５及び梁前面パネル４７を接合した後に、隣り合う天板パネル４０、梁底面パネル４５及び梁前面パネル４７を接合する。
【００６９】
＜化粧板取付工程＞
上記第２パネル接合工程で天板パネル４０、梁底面パネル４５及び梁前面パネル４７が接合されたパネル構造体の床板パネル１０、一対の下側側板パネル２０ａ、一対の上側側板パネル２０ｂ、下側背板パネル３０ａ、上側背板パネル３０ｂ、天板パネル４０、梁底面パネル４５及び梁前面パネル４７の表面に、例えば、タッカー等により、表面化粧板１１、２１ａ、２１ｂ、３１ａ、３１ｂ、４１、４６及び４８を取り付ける。
【００７０】
＜棚設置工程＞
上記化粧板取付工程で取り付けた一対の表面化粧板２１ａ及び３１ａに桟材７５を取り付けた後に、桟材７５上に予め作製した収納棚７０を載置することにより、収納棚７０を設置する。
【００７１】
＜扉取付工程＞
上記棚設置工程で収納棚７０を設置した後に、収納枠５０の上レール及び下レールに収納扉６０を取り付ける。
【００７２】
＜表面材取付工程＞
上記扉取付工程で収納扉６０を取り付けた収納枠５０の前面及び押入枠１５０の前面に押入枠１５０の前面を覆うように、例えば、タッカー等により、ケーシング材６１を取り付ける。
【００７３】
以上のようにして、既存箱状ユニット１００の内部に本実施形態の収納リフォームユニット９０を施工することができる。
【００７４】
以上説明したように、本実施形態の収納リフォームユニット９０及びその施工方法によれば、第１パネル接合工程において、一対の側板パネル２０及び背板パネル３０を床板パネル１０に接合するので、一対の側板パネル２０及び背板パネル３０が床板パネル１０の両側端部及び後端部に立った状態にそれぞれ固定される。また、第２パネル接合工程において、天板パネル４０を一対の側板パネル２０に接合するので、天板パネル４０が一対の側板パネル２０の間に架け渡した状態で固定される。さらに、枠接合工程において、既存箱状ユニット１００の押入枠１５０に収納枠５０を接合し、その後、パネル枠接合工程において、一対の側板パネル２０を既存箱状ユニットの押入枠１５０、及び収納枠５０の少なくとも一方に接合するので、既存箱状ユニット１００の内部に収容される収納リフォームユニット９０の強度を確保することができる。ここで、寸法設定工程では、既存箱状ユニット１００の内部寸法を解体工程後の実測定、又は既存箱状ユニット１００の設計図面に基づいて設定し、構成部材準備工程では、床板パネル１０、一対の側板パネル２０、背板パネル３０、天板パネル４０、梁底面パネル４５、梁前面パネル４７及び収納枠５０を既存箱状ユニット１００の内部寸法よりも小さくなるように準備する。そのため、床板パネル１０、一対の側板パネル２０、背板パネル４０、天板パネル４０、梁底面パネル４５、梁前面パネル４７及び収納枠５０を施工現場で切断加工することなく、予め工場で切断加工して準備することができる。これにより、施工現場での切断作業が省略され、施工現場での作業が主に組立作業になるので、収納リフォームユニット９０を短工期且つ省作業で施工することができる。
【００７５】
さらに、施工現場での切断作業が省略されるので、施工現場で発生する廃材や騒音を減らすことができる。
【００７６】
また、床板パネル１０、一対の側板パネル２０、背板パネル３０、天板パネル４０、梁底面パネル４５、梁前面パネル４７及び収納枠５０は、既存箱状ユニット１００の内部寸法よりも小さく設計されているので、仮に、既存箱状ユニット１００の躯体の経年劣化による歪み等があっても、その歪み等を吸収することができ、施工現場の日程計画に影響を及ぼし難くすることができる。
【００７７】
また、仮置工程において、既存箱状ユニット１００の内部に床板パネル１０を仮置きし、第１パネル接合工程の後のレベル調整工程において、床板パネル１０のレベル調整を行うので、仮に、既存箱状ユニット１００の躯体の経年劣化による歪み等があっても、収納リフォームユニット９０の床板パネル１０の水平状態、並びに床板パネル１０の両側端部及び後端部にそれぞれ接合された一対の側板パネル２０及び背板パネル３０の直立状態を保持することができる。
【００７８】
また、本実施形態の収納リフォームユニット９０及びその施工方法によれば、第２パネル接合工程及び扉取付工程の間に行う化粧板取付工程において、床板パネル１０、下側側板パネル２０ａ、上側側板パネル２０ｂ、下側背板パネル３０ａ、上側背板パネル３０ｂ、天板パネル４０、梁底面パネル４５及び梁前面パネル４７の表面に表面化粧板１１、２１ａ、２１ｂ、３１ａ、３１ｂ、４１、４６及び４８を取り付けるので、収納リフォームユニット９０の内部の見映えを確保することができる。
【００７９】
また、本実施形態の収納リフォームユニット９０及びその施工方法によれば、化粧板取付工程及び扉取付工程の間に行う棚設置工程において、一対の下側側板パネル２０ａ及び下側背板パネル３０ａの表面の表面化粧板２１ａ及び３１ａに桟材７５を取り付け、桟材７５に収納棚７０を載置するので、収納リフォームユニット９０の内部空間を効果的に区分けすることができる。
【００８０】
また、本実施形態の収納リフォームユニット９０及びその施工方法によれば、収納枠５０に収納扉６０を取り付ける扉取付工程の後に行う表面材取付工程において、既存箱状ユニットの押入枠１５０の前面及び収納枠５０の前面に押入枠１５０の前面を覆うようにケーシング材６１を取り付けるので、既存箱状ユニット１００の押入枠１５０を隠すことができ、収納リフォームユニット９０の見映えを向上させることができる。
【００８１】
《その他の実施形態》
上記実施形態では、建築物の既存箱状ユニットの内部に収容される収納リフォームユニットを例示したが、本発明は、押し入れやクローゼット等の収納ユニットのリフォームだけでなく、例えば、トイレ等のリフォームにも適用することができる。
【産業上の利用可能性】
【００８２】
以上説明したように、本発明は、収納リフォームユニットを短工期且つ省作業で施工することができるので、極めて有用である。
【符号の説明】
【００８３】
Ｂ          梁
Ｃ          天井
Ｗ          壁
１０        床板パネル
１１，２１ａ，２１ａａ，２１ｂ，３１ａ，３１ｂ，４１      表面化粧板
２０        側板パネル
２０ａａ    下側側板パネル
３０        背板パネル
４０        天板パネル
４７ａ      梁前面パネル
５０        収納枠
６０        収納扉
６１        ケーシング材（表面材）
７０        収納棚
７５        桟材
９０，９０ａ    収納リフォームユニット
１００      既存箱状ユニット
１５０      押入枠（前面枠）
【手続補正２】
【補正対象書類名】特許請求の範囲
【補正対象項目名】全文
【補正方法】変更
【補正の内容】
【特許請求の範囲】
【請求項１】
矩形状の床板パネルと、
上記床板パネルの両側端部に立った状態に配置される一対の側板パネルと、
上記床板パネルの後端部に立った状態に配置される背板パネルと、
上記一対の側板パネルの間に架け渡して配置される天板パネルと、
前面に立った状態に配置される枠状の収納枠と、
上記収納枠の開口部を開閉する収納扉とを備え、
建築物の既存箱状ユニットの内部に収容される収納リフォームユニットであって、
上記床板パネル、一対の側板パネル、背板パネル、天板パネル及び収納枠は、上記既存箱状ユニットの内部寸法よりも小さく設計され、
上記一対の側板パネル及び背板パネルは、上記床板パネルに接合され、
上記天板パネルは、上記一対の側板パネルに接合され、
上記収納枠は、上記既存箱状ユニットの前面枠の枠内で該前面枠に接合され、
上記一対の側板パネルは、上記収納枠、及び上記前面枠の少なくとも一方に接合され、
上記床板パネルは、上記既存箱状ユニットの床面に接する複数の高さ調整金具によって、該床面からの高さを調整することによりレベル調整可能に設けられていることを特徴とする収納リフォームユニット。
【請求項２】
請求項１に記載された収納リフォームユニットにおいて、
上記床板パネル、一対の側板パネル、背板パネル及び天板パネルの表面には、表面化粧板が設けられ、
上記既存箱状ユニットの内部には、後面側の壁及び天井の間に梁が設けられ、
上記梁の前面には、上記天板パネルに接合された梁前面パネルが設けられ、
上記一対の側板パネル及び背板パネルの表面には、上記表面化粧板を介して桟材が設けられ、
上記桟材上には、収納棚が載置され、
上記梁前面パネルは、上記収納棚に到達するように設けられていることを特徴とする収納リフォームユニット。
【請求項３】
請求項２に記載された収納リフォームユニットにおいて、
上記収納棚は、上記表面化粧板の継ぎ目を隠すように設けられていることを特徴とする収納リフォームユニット。
【請求項４】
請求項１〜３の何れか１つに記載された収納リフォームユニットにおいて、
上記前面枠の前面及び収納枠の前面には、該前面枠の前面を覆うように表面材が設けられていることを特徴とする収納リフォームユニット。
【請求項５】
請求項１〜４の何れか１つに記載された収納リフォームユニットにおいて、
上記一対の側板パネルは、上記収納枠に接合され、該収納枠の後面側に配置されていることを特徴とする収納リフォームユニット。
【請求項６】
請求項１〜４の何れか１つに記載された収納リフォームユニットにおいて、
上記一対の側板パネルは、上記前面枠の後面側に配置されていることを特徴とする収納リフォームユニット。
【請求項７】
矩形状の床板パネルと、
上記床板パネルの両側端部に立った状態に配置される一対の側板パネルと、
上記床板パネルの後端部に立った状態に配置される背板パネルと、
上記一対の側板パネルの間に架け渡して配置される天板パネルと、
前面に立った状態に配置される枠状の収納枠と、
上記収納枠の開口部を開閉する収納扉とを備え、
建築物の既存箱状ユニットの内部に収容される収納リフォームユニットを施工する方法であって、
上記既存箱状ユニットの内部の造作物を解体する解体工程と、
上記既存箱状ユニットの内部寸法を上記解体工程後の実測定、又は該既存箱状ユニットの設計図面に基づいて設定する寸法設定工程と、
上記床板パネル、一対の側板パネル、背板パネル、天板パネル及び収納枠を上記既存箱状ユニットの内部寸法よりも小さくなるように準備する構成部材準備工程と、
上記既存箱状ユニットの前面枠の枠内に上記収納枠を設置し、該前面枠に該収納枠を接合する枠接合工程と、
上記既存箱状ユニットの内部に上記床板パネルを仮置きする仮置工程と、
上記仮置工程の後に、上記床板パネルに上記一対の側板パネル及び背板パネルを接合する第１パネル接合工程と、
上記第１パネル接合工程の後に、上記既存箱状ユニットの床面に接する複数の高さ調整金具によって、該床面からの高さを調整することにより上記床板パネルのレベル調整を行うレベル調整工程と、
上記レベル調整工程の後に、上記一対の側板パネルを上記収納枠、及び上記前面枠の少なくとも一方に接合するパネル枠接合工程と、
上記パネル枠接合工程の後に、上記一対の側板パネルに上記天板パネルを接合する第２パネル接合工程と、
上記第２パネル接合工程の後に、上記収納枠に上記収納扉を取り付ける扉取付工程とを備えることを特徴とする収納リフォームユニットの施工方法。
【請求項８】
請求項７に記載された収納リフォームユニットの施工方法において、
上記第２パネル接合工程及び扉取付工程の間に、上記床板パネル、一対の側板パネル、背板パネル及び天板パネルの表面に表面化粧板を取り付ける化粧板取付工程を備え、
上記化粧板取付工程及び扉取付工程の間に、上記一対の側板パネル及び背板パネルの表面の表面化粧板に桟材を取り付け、該桟材に収納棚を載置する棚設置工程を備えることを特徴とする収納リフォームユニットの施工方法。
【請求項９】
請求項７又は８に記載された収納リフォームユニットの施工方法において、
上記扉取付工程の後に、上記前面枠の前面及び収納枠の前面に該前面枠の前面を覆うように表面材を取り付ける表面材取付工程を備えることを特徴とする収納リフォームユニットの施工方法。
【請求項１０】
請求項７〜９の何れか１つに記載された収納リフォームユニットの施工方法において、
上記パネル枠接合工程では、上記一対の側板パネルを上記収納枠に接合し、該一対の側板パネルを上記収納枠の後面側に配置することを特徴とする収納リフォームユニットの施工方法。